(57)【特許請求の範囲】
【請求項１】
上部が天井に架設したガイドレールに案内部材により案内され、下部が床面に走行自在のキャスタにより支持された移動式パネルにおける遮蔽構造であって、前記パネルの上方の少なくとも両側端部は前記案内部材から下方に延出した支持軸により上下方向に移動可能に支持され、前記パネル上端とガイドレール下端とで形成された間隙の内、前記支持軸周りの間隙を弾性変形可能な第１の遮蔽部材で遮蔽し、残りの間隙を前記パネルの両外装板の上端に取り付けた第２の遮蔽部材で遮蔽することを特徴とする移動式パネルにおける遮蔽構造。
【請求項２】
前記第１の遮蔽部材は回転自在の円筒部材である請求項１に記載の移動式パネルにおける遮蔽構造。
【請求項３】
前記第１の遮蔽部材はスポンジで構成されている請求項１または２に記載の移動式パネルにおける遮蔽構造。
【請求項４】
前記第１の遮蔽部材は組み付け可能な分割体で構成されている請求項１ないし３にいずれかに記載の移動式パネルにおける遮蔽構造。
【請求項５】
前記第１の遮蔽部材はその外周が前記パネルの側端部より僅かに突出している請求項１ないし４のいずれかに記載の移動式パネルにおける遮蔽構造。
【発明の詳細な説明】
【０００１】
【発明の属する技術分野】
本発明は、上部が天井に架設したガイドレールに案内部材により案内され、下部が床面に走行自在のキャスタにより支持された室内空間を仕切る移動間仕切り用のパネルや衝立て、展示パネル等として使用することができる移動式パネルにおける遮蔽構造に関する。
【０００２】
【従来の技術】
例えば移動間仕切に用いられる従来の移動パネルは、上方に設けられた支持軸によって、天井に設けられたガイドレールに吊支されながら移動するようになっているものが殆どであった。
【０００３】
そのため、ガイドレールにはパネルの全重量が加わり、特にモータ等の駆動機構を備える自走式のパネルにおいては、その重量がかなり大きいため、ガイドレールに作用する負荷が極めて大きいものになってしまっていた。
【０００４】
そこで本願の出願人は、ガイドレールに作用する負荷を軽減するために、図６（ａ）に示すような間仕切り用の移動式パネルを開発した。この開発した移動式パネル０１は、上端部から上方に向かって設けられた支持軸０７を有し、この支持軸０７先端には案内部材であるガイドローラ０８が設けられている。ガイドローラ０８は移動式パネル０１を案内するために天井０２に架設したガイドレール０３に摺動可能に支持されている。部屋を間仕切るには、各移動式パネル０１を壁面０５に向かって床面０４上をキャスタ０１５により１枚ずつ移動し、隣接する移動式パネル０１の側端面に形成された凹溝と凸条（いずれも図示略）同士を嵌合させるようにして、天井０２と床面０４との間に立設する。
【０００５】
そして移動式パネル０１の上部斜視図である図６（ｂ）に示すように、各移動式パネル０１の両側端のサイドフレーム０１２の上端部内に固着された支持ブロック０６には、支持軸０７が、上下に摺動自在に貫通して保持され、その上端部には、上記ガイドレール０３内を転動するガイドローラ０８が、回転自在に取付けられている。
【０００６】
支持軸０７の下部は、支持ブロック０６の下端より所定長さ突出させてあり、下端部には抜け止めリング（図示せず）が嵌合されているので、サイドフレーム０１２と外装板０１１からなるパネルは抜け落ちることがない。
【０００７】
また図６（ａ）に示すように、各移動式パネル１の下端部は横長箱状となりその下面は開口している。この横長箱状内には上下動可能な可動板が収容されており、また可動板下面の前後両端部付近には、走行自在のキャスタ０１５，０１５が横長箱状内に収容可能に取付けられている。
【０００８】
したがって、移動式パネル０１をガイドレール０３に沿って移動させる際は、上記両キャスタ０１５により支持されて移動式パネル０１が移動するので、ガイドレール０３に荷重が加わるのが防止され、強度の小さい安価なガイドレール０３の使用を可能とするとともに、既存の建物の天井０２にも容易に取付けられる。そして、利用者は移動式パネル０１を希望する位置に移動した後、可動板を押し上げてキャスタ０１５を引き上げ、パネルの下端面が床面０４に設置されるよう押し下がることにより、移動式パネル０１の移動が床面０４で拘束される。
【０００９】
このとき移動式パネル０１が床面０４に向かって下方に移動するので、その移動した分、天井０２に取付けられたガイドレール０３の下端と移動式パネル０１上端との隙間が広がってしまい、移動式パネル０１の背面側の空間（間仕切りされた隣の部屋）から光や音が隙間を介して漏れてしまうので、この隙間を閉塞するために矩形状の２枚の遮蔽板０１９を外装板０１１の前面側と背面側からそれぞれ取り付けることが案出されている。
【００１０】
【発明が解決しようとする課題】
しかし、上述の移動式パネルにおいても、次のような解決すべき課題が残されていた。すなわち、移動式パネル０１を上下方向に移動可能に支持した支持軸０７はパネル側端部であるために遮蔽板０１９だけでは遮蔽しきれず、支持軸０７周りに隙間ができてしまい、この隙間から光や音が漏れてしまうといった問題があった。
【００１１】
本発明は上記問題点を解決するためになされたもので、移動式パネルの上下方向移動にも緩衝機能として対応でき、しかも支持軸周りも含め、ガイドレール下端とパネル上端とでできる隙間空間を確実に遮蔽して、移動式パネルを隔てた隣接空間からの光や音を極力避けることができるようにした移動式パネルにおける遮蔽構造を提供することを目的としている。
【００１２】
【課題を解決するための手段】
上記目的を達成するために、本発明の移動式パネルにおける遮蔽構造は、上部が天井に架設したガイドレールに案内部材により案内され、下部が床面に走行自在のキャスタにより支持された移動式パネルにおける遮蔽構造であって、前記パネルの上方の少なくとも両側端部は前記案内部材から下方に延出した支持軸により上下方向に移動可能に支持され、前記パネル上端とガイドレール下端とで形成された間隙の内、前記支持軸周りの間隙を弾性変形可能な第１の遮蔽部材で遮蔽し、残りの間隙を前記パネルの両外装板の上端に取り付けた第２の遮蔽部材で遮蔽することを特徴としている。
この特徴によれば、第１の遮蔽部材が弾性変形可能な部材から成るので、移動パネルの上下動に対しても緩衝機能として対応でき、かつ遮蔽しにくい支持軸周りの間隙も遮蔽することで、確実な遮光及び遮音効果を得ることができる。また移動パネルの走行が安定すると共に、隣り合う移動パネルの支持軸間も互いに遮蔽しあえる。
【００１３】
上記移動式パネルにおける遮蔽構造において、前記第１の遮蔽部材は回転自在の円筒部材であることがが好ましい。
このようにすると、円筒部材であるので支持軸に装着しやすく、隣のパネルの円筒部材との接触も抵抗がなく、しかも円筒部材に外力が作用しても回転できるので無理な力が円筒部材を介してパネルに作用することがない。
【００１４】
上記移動式パネルにおける遮蔽構造において、前記第１の遮蔽部材はスポンジで構成されていることが好ましい。
このようにすると、第１の遮蔽部材を安価で入手しやすい材料で製作することができる。
【００１５】
上記移動式パネルにおける遮蔽構造において、前記第１の遮蔽部材は組み付け可能な分割体で構成されていることが好ましい。
このようにすると、支持軸に対して第１の遮蔽部材を容易に取り付け取り外しできる。
【００１７】
上記移動式パネルにおける遮蔽構造において、前記第１の遮蔽部材はその外周が前記パネルの側端部より僅かに突出していることが好ましい。
このようにすると、隣り合う移動パネルの両支持軸間も第１の遮蔽部材の突出しているところを互いに押し潰して確実に遮蔽できる。
【００１８】
【発明の実施の形態】
以下、本発明の実施形態を図面に基づいて説明する。
【００１９】
図１は本発明の移動式パネルである実施例を示す正面図であって、移動式パネル１は室内空間を仕切る仕切体であって、各パネル１は両側面側に、例えばアルミ等の硬質軽量の部材であるサイドフレーム１２が取り付けられ、この両サイドフレーム１２は表面と裏面に並列した外装板１１の両端側を挟み込み、上方には棒状の支持軸７が突出して設けられており、外装板１１の下部には移動式パネル１を支持し、かつ床面４を走行するためのキャスタ１５が２個取り付けられている。
【００２０】
また支持軸７の上端にはガイドローラ８が支持軸７を軸にして回動自在に取り付けられている。このガイドローラ８は天井２に取り付けられたガイドレール３の長さ方向に摺動可能に嵌合され、移動式パネル１をガイドローラ８に沿って移動させることができる。
【００２１】
移動式パネル１の両外装板１１の上端辺付近には、それぞれ天井２方向を向く例えばプラスチック等の硬質軽量部材を用いた矩形状の板である遮蔽板１９（第２の遮蔽部材）が取り付けられており、移動式パネル１の背面側の室内からの光や音を遮蔽すると共に、利用者側から背面側の室内あるいは逆に背面側から利用者側の室内が見えないようにしている。遮蔽板１９の材質は硬質材に限らずゴム等の弾性体であってもよく、あるいはブラシのような柔軟なものであってもよい。また支持軸７周りには、第１の遮蔽部材１０としてのスポンジが取り付けられている。
【００２２】
次に第１の遮蔽部材１０の斜視図である図２と、図１のＩ−Ｉ線の断面を示す部分拡大側断面図である図３と、図１の移動式パネル１の上方付近の斜視図である図４を併せもちいて移動式パネル１の遮蔽構造を詳述する。
【００２３】
図３において、移動式パネル１のサイドフレーム１２の上端から天井２に取り付けられたガイドレール３下端との隙間の間には、図２に示すような円筒状の第１の遮蔽部材としてのスポンジ１０が配置され、支持軸７がスポンジ１０の中心部にあけた挿通孔１０ａを貫通している。挿通孔１０ａは支持軸７の外形よりも大きく、このためスポンジ１０は支持軸７に対して自由に回転できる。これにより、仮にスポンジ１０に予測しない外力が作用したとしても、回転することで移動パネル１に直接負荷がかからないし、弾性体であるのでエネルギーの吸収作用もある。
【００２４】
図３に示されるように、移動式パネル１の両側端のサイドフレーム１２の上端部に固着された支持ブロック６は、移動式パネル１が支持軸７に対して上下に摺動できるように、支持軸７を貫通保持している。
【００２５】
そして支持軸７の下方は、支持ブロック６の下端より所定長さ突出させてあり、下端部には抜け止めリング９が嵌合されているので、移動式パネル１は抜け落ちることがない。そしてサイドフレーム１２と外装板１１に囲まれた空間内の中心部には移動式パネル１の強度を高めるために芯材１７が設けられている。この芯材１７の上端には上部フレーム１３の下端が載置固定され、左右の外装板１１、１１及び両サイドフレーム１２、１２と連接してパネルの枠組みを構築している。
【００２６】
上部フレーム１３はそのパネルの長さ方向に延びている上端辺部に外壁１３ａが突設し、この外壁１３ａと対向する内壁１４ａを有する断面Ｌ字形状の挟持具１４、１４が上部フレーム１３の上面１３ｂにネジ１６、１６によって取り付けられている。外壁１３ａと内壁１４ａとで第２の遮蔽部材としての遮蔽板１９を止着するための保持溝１８が形成され、遮蔽板１９をより強固に取り付けるために、外壁１３ａと内壁１４ａには保持溝１８側に向けてそれぞれ２箇所に突起が設けられている。
【００２７】
遮蔽板１９の取付方法を説明すると、移動式パネル１の上方から垂直状態のままで、一点鎖線によって示される矢印方向（図３）にしたがって保持溝１８に挿通させると、遮蔽板１９は二点鎖線に示された位置に立設し、上部フレーム１３とネジ１６により螺着されている挟持具１４とによって遮蔽板１９が止着される。
【００２８】
図５は複数の移動式パネル１の移動連接状態を示したものであり、移動式パネル１を連接して室内空間を仕切るには、壁面５に対して垂直になるように架設されているガイドレール３に沿って壁面５に向けて移動パネル１を順次キャスタ１５により走行させる。所定位置にてキャスタ１５を引っ込めるか、そのまま落し等を利用して移動式パネル１を固定することにより、室内を仕切ることができる。
【００２９】
そして移動式パネル１を移動中パネル下部が揺動したり、あるいはキャスタの引っ込め時に、移動式パネル１が上下動してスポンジ１０がガイドレール３に当接することがあっても、スポンジ１０は弾性変形することでそのエネルギーが緩衝される。
【００３０】
また一方の移動式パネル１のサイドフレーム１２と、他の移動式パネル１のサイドフレーム１２とを互いに連設する際、スポンジ１０は図４にも示されるようにサイドフレーム１２外端面より若干外方に突出しているので、２つのスポンジ１０，１０同士の外側面が互いに押し潰しあい支持軸間を確実に遮蔽できる。
【００３１】
以上、本発明の実施例を図面により説明してきたが、具体的な構成はこれら実施例に限られるものではなく、本発明の要旨を逸脱しない範囲における変更や追加があっても本発明に含まれる。例えば、本実施例では第１の遮蔽部材１０としてスポンジを用いたが、これに限ることなく、ゴム部材やウレタン部材をもちいてもよい。また、取付け取り外しを容易にできるように、第１の遮蔽部材を組み付け可能な分割体で構成してもよい。
【００３２】
【発明の効果】
本発明によれば、次のような効果を奏することができる。
【００３３】
（ａ）請求項１に記載の発明によれば、第１の遮蔽部材が弾性変形可能な部材から成るので、移動パネルの上下動に対しても緩衝機能として対応でき、かつ遮蔽しにくい支持軸周りの間隙も遮蔽することで、確実な遮光及び遮音効果を得ることができる。また移動パネルの走行が安定すると共に、隣り合う移動パネルの支持軸間も互いに遮蔽しあえる。
【００３４】
（ｂ）請求項２に記載の発明によれば、円筒部材であるので支持軸に装着しやすく、隣のパネルの円筒部材との接触も抵抗がなく、しかも円筒部材に外力が作用しても回転できるので無理な力が円筒部材を介してパネルに作用することがない。
【００３５】
（ｃ）請求項３に記載の発明によれば、第１の遮蔽部材を安価で入手しやすい材料で製作することができる。
【００３６】
（ｄ）請求項４に記載の発明によれば、支持軸に対して第１の遮蔽部材を容易に取り付け取り外しできる。
【００３８】
（ｅ）請求項５に記載の発明によれば、隣り合う移動パネルの両支持軸間も第１の遮蔽部材の突出しているところを互いに押し潰して確実に遮蔽できる。
【図面の簡単な説明】
【図１】本発明の実施例を示す移動式パネルの正面図である。
【図２】本発明の移動式パネルに適用される第１の遮蔽部材の斜視図である。
【図３】図１のＩ−Ｉ線の断面を示す部分拡大側断面図である。
【図４】本発明が適用された移動式パネルの上方付近の部分拡大斜視図である。
【図５】本発明が適用された移動式パネルの移動連接状態を示す斜視図である。
【図６】（ａ）従来の移動式パネルの移動連接状態を示す正面図である。
（ｂ）従来の移動式パネルの上方付近の部分拡大斜視図である。
【符号の説明】
１              移動式パネル
２              天井
３              ガイドレール
４              床面
５              壁面
６              支持ブロック
７              支持軸
８              ガイドローラ（案内部材）
９              抜け止めリング
１０            スポンジ（第１の遮蔽部材）
１０ａ          挿通孔
１１            外装板
１２            サイドフレーム
１３            上部フレーム
１３ａ          外壁
１３ｂ          上面
１４            挟持具
１４ａ          内壁
１５            キャスタ
１６            ネジ
１７            芯材
１８            保持溝
１９            遮蔽板（第２の遮蔽部材）
【図１】
0004912540.tif 000002
【図２】
0004912540.tif 000003
【図３】
0004912540.tif 000004
【図４】
0004912540.tif 000005
【図５】
0004912540.tif 000006
【図６】
0004912540.tif 000007